(57)【要約】      （修正有）【課題】振動を緩和し、歯車に組み合わせて稼動することができるキャスターを提供する。【解決手段】振動吸収キャスター１は、中心に貫通孔を有する環状本体１０と、貫通孔に軸方向に向かって取り付けられる組立軸３０と、環状本体と組立軸との間に取り付けられ、湾曲状を呈し、復位可能な弾性を備える複数の緩衝アーム５０とを有し、その内、各緩衝アームは、第一変形段、第二変形段、第三変形段を有し、該第一変形段は、湾曲状を呈し、一端が組立軸の外壁に連結され、該第二変形段は、湾曲状を呈し、第一変形段の他端に延設され、該第三変形段は、湾曲状を呈し、他端が第二変形段に延設され、貫通孔の内周面に連結される。また、該緩衝アームは外力を受けると変形して、その組立軸が貫通孔の中心からずれるように移動し、外力を受けなくなると、その組立軸が貫通孔の中心に復位するものである。【選択図】図１
2015199484.tif 000002
【特許請求の範囲】
【請求項１】
中心に貫通孔が形成される環状本体と、
前記環状本体の貫通孔に軸方向に向かって取り付けられる組立軸と、
前記環状本体と組立軸との間に取り付けられ、一端が該環状本体の貫通孔の内周面に連結されると共に、他端が該組立軸の外壁に連結され、湾曲状を呈し、復位可能な弾性を備える複数の緩衝アームとを有し、
その内、各緩衝アームは、第一変形段、第二変形段、第三変形段を有し、該第一変形段は、湾曲状を呈し、一端が組立軸の外壁に連結され、該第二変形段は、湾曲状を呈し、第一変形段の他端に延設され、該第三変形段は、湾曲状を呈し、他端が第二変形段に延設され、貫通孔の内周面に連結され、
また、前記緩衝アームは外力を受けると変形して、その組立軸が貫通孔の中心からずれるように移動し、外力を受けなくなると、その組立軸が貫通孔の中心に復位することを特徴とする振動吸収キャスター。
【請求項２】
前記環状本体の外周面に複数の噛合構造が形成されることを特徴とする請求項１に記載の振動吸収キャスター。
【請求項３】
前記噛合構造が歯部であることを特徴とする請求項２に記載の振動吸収キャスター。
【請求項４】
前記環状本体の外周面に環装溝が形成されることを特徴とする請求項１または２に記載の振動吸収キャスター。
【請求項５】
弾性部材が環装溝を介して環状本体に環装されることを特徴とする請求項４に記載の振動吸収キャスター。
【発明の詳細な説明】
【技術分野】
【０００１】
本発明は、特にベビーカーに設置して使用され、地面からの振動を吸収できる、または、ドットインパクト方式プリンター用インクリボンカートリッジの歯車に使用され、他の歯車に組み合わせて稼動できる軽量用の振動吸収キャスターに関するものである。
【背景技術】
【０００２】
従来のドットインパクト方式プリンターに、インクリボンを駆動するための歯車を有し、その歯車により、インクリボンを挟んで印字に用いることができる。
【０００３】
図８に示すように、従来のインクリボンカセットは、ケース９０と、駆動輪９４と、従動輪セットとを備え、該ケース９０に収容空間９００が形成され、該駆動輪９４が回転可能に収容空間９００に取り付けられ、従動輪セットが駆動輪９４に噛合して収容空間に設置される。その内、該従動輪セットはさらに、座部９１と、ばね９２と、従動輪９３を備え、該座部９１が収容空間９００の壁に取り付けられ、該ばね９２が座部９１と収容空間９００の壁に取り付けられ、該従動輪９３が回転可能に駆動輪９４と噛合するように座部９１に取り付けられる。その座部９１及びばね９２により、従動輪９３を駆動輪９４と噛合するように押し付けることから、従動輪９３が駆動輪９４に緩めて噛合して擦れてしまう問題を防ぐ。
【０００４】
一方、従来のベビーカーは、底部に車輪が設けられることにより、赤ちゃんをスムーズに運べるようにしたものであるが、それらの車輪には振動吸収機能は備えられていないので、でこぼこの場所を走行すると、ベビーカー及び赤ちゃんの重さで振動が激しくなり乗り心地が悪くなる。また、既存のベビーカーには、振動吸収機能を有する物もあるが、その振動吸収構造は複雑で非常に高価であった。
【先行技術文献】
【特許文献】
【０００５】
【特許文献１】台湾実用新案第Ｍ３６８５４６号
【特許文献２】台湾実用新案第Ｍ３３５３９２号
【発明の概要】
【発明が解決しようとする課題】
【０００６】
従来のインクリボンカセットにおける従動輪セットは、部材が多くて構成も複雑であることから、組立ての時間がかかり生産コストを増加する。
一方、従来のベビーカーは、クッション構造が設置されているものもあるが、そのクッション構造は複雑で生産コストがかなりかかってしまうといった欠点を有する。
【課題を解決するための手段】
【０００７】
上述した問題を解決するために、本発明に係る振動吸収キャスターは、
中心に貫通孔が形成される環状本体と、
前記環状本体の貫通孔に軸方向に向かって取り付けられる組立軸と、
前記環状本体と組立軸との間に取り付けられ、一端が該環状本体の貫通孔の内周面に連結されると共に、他端が該組立軸の外壁に連結され、湾曲状を呈し、復位可能な弾性を備える複数の緩衝アームとを有し、
その内、各緩衝アームは、第一変形段、第二変形段、第三変形段を有し、該第一変形段は、湾曲状を呈し、一端が組立軸の外壁に連結され、該第二変形段は、湾曲状を呈し、第一変形段の他端に延設され、該第三変形段は、湾曲状を呈し、他端が第二変形段に延設され、貫通孔の内周面に連結され、
また、前記緩衝アームは外力を受けると変形して、その組立軸が貫通孔の中心からずれるように移動し、外力を受けなくなると、その組立軸が貫通孔の中心に復位するものである。
【０００８】
かかる振動吸収キャスターにおいて、前記環状本体の外周面に複数の噛合構造が形成されることが好ましい。
【０００９】
かかる振動吸収キャスターにおいて、前記噛合構造が歯部であってもよい。
【００１０】
かかる振動吸収キャスターにおいて、前記環状本体の外周面に環装溝が形成されることが好ましい。
【００１１】
かかる振動吸収キャスターにおいて、弾性部材が環装溝を介して環状本体に環装されることが好ましい。
【発明の効果】
【００１２】
本発明に係る振動吸収キャスターをベビーカーなどに使用する時は、環状本体１０と組立軸３０との間に形成された複数の緩衝アーム５０によって、でこぼこの地面からの振動を吸収して衝撃を緩和することから、ベビーカーのキャスターに利用して、スムーズな移動を提供することができる。
【図面の簡単な説明】
【００１３】
【図１】本発明の振動吸収キャスターの斜視図である。
【図２】本発明の振動吸収キャスターの平面図である。
【図３】本発明の振動吸収キャスターにおいて、力を受けて緩衝アームを弾性変形した状態を示す平面図である。
【図４】本発明の振動吸収キャスターにおいて、インクリボンカセットに装着する操作を示す側面視平面図である。
【図５】本発明の振動吸収キャスターにおいて、インクリボンカセットに装着した状態を示す側面視平面図である。
【図６】本発明の振動吸収キャスターにおいて、ベビーカーに装着した状態を示す平面図である。
【図７】本発明の振動吸収キャスターにおいて、４本の緩衝アームを有する実施例の平面図である。
【図８】従来のインクリボンカセットを示す側面視平面図である。
【発明を実施するための形態】
【００１４】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【００１５】
図１及び図２に示すように、本発明に係る振動吸収キャスター１は、環状本体１０と、組立軸３０と、複数の緩衝アーム５０とを有し、該環状本体１０の中心に軸方向に向かって貫通孔１００が形成されると共に、外周面に複数の噛合構造１１が形成される。尚、それらの噛合構造１１は歯部であることが好ましい。更に、前記組立軸３０は、軸方向に向かって環状本体１０の貫通孔１００に取り付けられ、それらの緩衝アーム５０はそれぞれ間隔をおいて環状本体１０と組立軸３０との間に取り付けられる。
【００１６】
図３に示すように、前記緩衝アーム５０は、湾曲状を呈し、復位可能な弾性を備えた弾性体であり、該各緩衝アーム５０の一端は貫通孔１００の内周面に連結されると共に、他端は組立軸３０の外壁に連結され、この緩衝アーム５０が外力を受けると、緩衝アーム５０が復位可能に変形し、その外力を吸収することができる。この構成によれば、外力を受けた時、その組立軸３０が貫通孔１００の中心からずれ、外力を受けなくなると、その組立軸３０が貫通孔１００の中心に復位する。
【００１７】
また、前記緩衝アーム５０は、第一変形段５１、第二変形段５２、第三変形段５３を備え、該第一変形段５１は、湾曲状を呈し、組立軸３０の外壁に連結され、該第二変形段５２は、湾曲状を呈し、第一変形段５１から延設され、該第三変形段５３は、湾曲状を呈し、第二変形段５２から延設され、貫通孔１００の内周面に連結される。
【００１８】
図４及び図５に示すように、本発明に係る振動吸収キャスター１を、インクリボンカセット７０の収容空間７００に取り付けて駆動するための歯車に用いることができる。その組立軸３０が元々貫通孔１００の中心に位置すると共に、振動吸収キャスター１と駆動輪８０との距離がそれらの半径の合計より小さいことから、振動吸収キャスター１を装着する時に、使用者が組立軸３０に緩衝アーム５０を変形させるように力を施して、振動吸収キャスター１を駆動輪８０にピッタリと噛合するようにインクリボンカセット７０の収容空間７００に嵌め込まれる。それによれば、振動吸収キャスター１が駆動輪８０と離れるように脱出することはない。
【００１９】
本発明に係る振動吸収キャスター１を、例えば、ベビーカーの車輪として使用すると、それらの緩衝アーム５０が振動を吸収することができることから、その振動が組立軸３０を介してベビーカーに伝わることがないので、振動吸収の効果を有し、赤ちゃん又は幼児を快適な状態で乗せることができる。
【００２０】
図６に示すように、本発明に係る振動吸収キャスター１ａをベビーカーのリムとして使用してもよく、例えば、その環状本体１０ａの外周面に環装溝を形成し、タイヤ６０などの弾性部材を、環装溝を介して環状本体１０ａに環装してもよい。これにより、ベビーカーに振動吸収構造を提供できることから、赤ちゃんまたは幼児を快適に乗せることができる。
【００２１】
図７に示すように、本発明に係る振動吸収キャスターにおいては、環状本体１０ｂと組立軸３０との間に４本の緩衝アーム５０を設けてもよい。
【００２２】
上述した構造によれば、本発明に係る振動吸収キャスターは、環状本体１０と組立軸３０との間に複数の緩衝アーム５０が形成されることから、外力を受けると、それらの緩衝アーム５０によって、振動を吸収して衝撃を緩和することができるので、乗り物を穏やかに且つスムーズに移動させることができる。また、本発明に係る振動吸収キャスターは、ベビーカーに限らず、ショッピングカートなどにも適用できる。
【符号の説明】
【００２３】
１、１ａ、１ｂ      振動吸収キャスター
１０、１０ｂ        環状本体
１００              貫通孔
１１                噛合構造
３０                組立軸
５０                緩衝アーム
５１                第一変形段
５２                第二変形段
５３                第三変形段
７０                インクリボンカセット
７００              収容空間
８０                駆動輪
９０                ケース
９００              収容空間
９１                座部
９２                ばね
９３                従動輪
９４                駆動輪
【図１】
2015199484.tif 000003
【図２】
2015199484.tif 000004
【図３】
2015199484.tif 000005
【図４】
2015199484.tif 000006
【図５】
2015199484.tif 000007
【図６】
2015199484.tif 000008
【図７】
2015199484.tif 000009
【図８】
2015199484.tif 000010